(57)【要約】【課題】  PWM信号を生成するパルス信号生成手段をスペックアップすることなく、簡易かつ安価な構成で出力可変な可変電圧生成回路の出力分解能を微細化すること。【解決手段】  パルス幅可変のＰＷＭ信号を出力するパルス信号生成手段と、抵抗器およびコンデンサにより構成されるフィルタ回路を備え、パルス信号生成手段より出力されるＰＷＭ信号をフィルタ回路により平滑化して、ＰＷＭ信号のパルス幅に比例した電圧とする可変電圧生成回路において、パルス信号生成手段とフィルタ回路との間に抵抗器（R1）を接続し、抵抗器（R1）とフィルタ回路との間に抵抗器（R2）の一端を接続し、抵抗器（R2）の他端が接地状態または所定電圧に接続された状態または開放状態となるように接続状態を切り換える切換え手段を備えたことを特徴とする。【選択図】  図１
2012142887.tif 000002
【特許請求の範囲】
【請求項１】
パルス幅可変のＰＷＭ信号を出力するパルス信号生成手段と、抵抗器およびコンデンサにより構成されるフィルタ回路を備え、パルス信号生成手段より出力されるＰＷＭ信号をフィルタ回路により平滑化して、ＰＷＭ信号のパルス幅に比例した電圧とする可変電圧生成回路において、パルス信号生成手段とフィルタ回路との間に抵抗器（R1）を接続し、抵抗器（R1）とフィルタ回路との間に抵抗器（R2）の一端を接続し、抵抗器（R2）の他端の接続状態を切り換える接続切換え手段を備えたことを特徴とする可変電圧生成回路。
【請求項２】
抵抗器（R2）の他端が接地状態または開放状態となるように接続状態を切り換える接続切換え手段を備えたことを特徴とする請求項１に記載の可変電圧生成回路。
【請求項３】
抵抗器（R2）の他端が所定電圧に接続された状態または開放状態となるように接続状態を切り換える接続切換え手段を備えたことを特徴とする請求項１に記載の可変電圧生成回路。
【請求項４】
抵抗器（R2）の他端が接地状態または所定電圧に接続された状態または開放状態となるように接続状態を切り換える接続切換え手段を備えたことを特徴とする請求項１に記載の可変電圧生成回路。
【請求項５】
パルス幅可変のＰＷＭ信号を出力するパルス信号生成手段と、抵抗器およびコンデンサにより構成されるフィルタ回路を備え、パルス信号生成手段より出力されるＰＷＭ信号をフィルタ回路により平滑化して、ＰＷＭ信号のパルス幅に比例した電圧とする可変電圧生成回路において、パルス信号生成手段とフィルタ回路との間に抵抗器（R1）を接続し、抵抗器（R1）とフィルタ回路との間に抵抗器（R2）の一端を接続し、抵抗器（R2）の他端が出力可変となる電圧源に接続されたことを特徴とする可変電圧生成回路。
【請求項６】
請求項１乃至請求項４のいずれか１項に記載の可変電圧生成回路を備え、可変電圧生成手段で生成された出力電圧を基準電圧として用いた出力可変な電源回路および出力可変制御方法。
【発明の詳細な説明】
【技術分野】
【０００１】
本発明はフィルタ回路を用いた可変電圧生成回路およびその出力可変制御方法に関するものである。
【背景技術】
【０００２】
フィルタ回路を用いた可変電圧生成回路の使用例としては、特許文献１のような高圧電源回路の基準電圧生成に用いたものがある。
【０００３】
図６は特許文献１で用いられる従来のフィルタ回路を用いた可変電圧生成回路を示した回路図である。図６において61はパルス幅可変のＰＷＭ信号を出力するパルス信号生成手段、62は抵抗器62-1およびコンデンサ62-2により構成されるフィルタ回路である。
【０００４】
図６のようにパルス信号生成手段61より出力されるＰＷＭ信号の振幅レベルが0VからV1Vまで変化する場合、フィルタ回路62により平滑化されて出力される電圧Voは、ＰＷＭ信号のパルス幅（ON Duty）に比例した電圧となる。
【０００５】
具体的には、
ＰＷＭ信号のON Dutyが0%の時には、フィルタ回路2の出力電圧Voは0Ｖとなり、
ＰＷＭ信号のON Dutyが50%の時には、フィルタ回路2の出力電圧VoはV1/2Ｖとなり、
ＰＷＭ信号のON Dutyが100%の時には、フィルタ回路2の出力電圧VoはV1Ｖとなる。
このようにＰＷＭ信号のパルス幅（ON Duty）により出力電圧が可変となる可変電圧生成回路の出力電圧を基準電圧として用いて基準電圧の切換えを行えば、高圧電源の出力電圧を切換えることが可能となる。
【先行技術文献】
【特許文献】
【０００６】
【特許文献１】特開２００４−１４４７８３号公報
【発明の概要】
【発明が解決しようとする課題】
【０００７】
しかしながら上記従来例のような出力可変な高圧電源回路を画像形成装置に用いる場合には、画像形成装置の画像形成スピードの高速化、画像の高品質化にともない、画像形成装置の使用状況に応じた高圧電源回路の出力制御に対してより微細な出力制御を行う必要が生じてきた。この対策としてはパルス信号生成手段のパルス幅可変量を微細化することが考えられるが、パルス信号生成手段のスペックアップに伴う、コストアップという課題が生じてしまう。
【課題を解決するための手段】
【０００８】
上記課題を解決するため、本発明の請求項１では、パルス幅可変のＰＷＭ信号を出力するパルス信号生成手段と、抵抗器およびコンデンサにより構成されるフィルタ回路を備え、パルス信号生成手段より出力されるＰＷＭ信号をフィルタ回路により平滑化して、ＰＷＭ信号のパルス幅に比例した電圧となる可変電圧生成回路において、パルス信号生成手段とフィルタ回路との間に抵抗器（R1）を接続し、抵抗器（R1）とフィルタ回路との間に抵抗器（R2）の一端を接続し、抵抗器（R2）の他端の接続状態を切り換える切換え手段を備えたことを特徴とする。
【０００９】
本発明の請求項２では、請求項１と同様の可変電圧生成回路において、抵抗器（R2）の他端が所定電圧に接続された状態または開放状態となるように接続状態を切り換える切換え手段を備えたことを特徴とする。
【００１０】
本発明の請求項３では、請求項１と同様の可変電圧生成回路において、抵抗器（R2）の他端が所定電圧に接続された状態または開放状態となるように接続状態を切り換える切換え手段を備えたことを特徴とする。
【００１１】
本発明の請求項４では、請求項１と同様の可変電圧生成回路において、抵抗器（R2）の他端が接地状態または所定電圧に接続された状態または開放状態となるように接続状態を切り換える切換え手段を備えたことを特徴とする。
【００１２】
本発明の請求項５では、請求項１と同様の可変電圧生成回路において、抵抗器（R2）の他端が出力可変となる電圧源に接続されたことを特徴とする。
【発明の効果】
【００１３】
本発明の請求項２によれば、パルス幅可変のＰＷＭ信号を出力するパルス信号生成手段と、抵抗器およびコンデンサにより構成されるフィルタ回路を備え、パルス信号生成手段より出力されるＰＷＭ信号をフィルタ回路により平滑化して、ＰＷＭ信号のパルス幅に比例した電圧を出力する可変電圧生成回路において、パルス信号生成手段とフィルタ回路との間に抵抗器（R1）を接続し、抵抗器（R1）とフィルタ回路との間に抵抗器（R2）の一端を接続し、抵抗器（R2）の他端を接地状態にした場合、ＰＷＭ信号の振幅レベルが0からV1で変化するものとすると、パルス信号生成手段より出力されたＰＷＭ信号は0からV1を抵抗器（R1）と抵抗器(R2)とで振幅が分圧した電圧（V2）で変化する信号となりフィルタ回路へ入力される。分圧されたＰＷＭ信号が入力されたフィルタ回路の出力は0からV1との間でＰＷＭ信号のパルス幅に比例した電圧となる。この結果、可変電圧生成回路から出力される電圧は0からV1の間で可変分解能を上げることが可能となる。
【００１４】
同様に本発明の請求項３によれば、抵抗器（R2）の他端を所定電圧V1に接続された状態にした場合、ＰＷＭ信号の振幅レベルが0からV1で変化するものとすると、パルス信号生成手段より出力されたＰＷＭ信号はV1を抵抗器（R1）と抵抗器(R2)とで振幅が分圧した電圧（V2）からV1で変化する信号となりフィルタ回路へ入力される。分圧されたＰＷＭ信号が入力されたフィルタ回路の出力はV2からV1との間でＰＷＭ信号のパルス幅に比例した電圧となる。この結果、可変電圧生成回路から出力される電圧はV2からV1の間で可変分解能を上げることが可能となる。
【００１５】
また本発明の請求項４によれば、抵抗器（R2）の他端を接地状態にした場合には、請求項１と同様にフィルタ回路の出力は0からV1との間でＰＷＭ信号のパルス幅に比例した電圧となる。一方、抵抗器（R2）の他端を所定電圧V1に接続された状態にした場合には、請求項２と同様にフィルタ回路の出力はV2からV1との間でＰＷＭ信号のパルス幅に比例した電圧となる。この結果、可変電圧生成回路から出力される電圧は0からV1の間で可変分解能を上げることが可能となる。
【００１６】
更に本発明の請求項５によれば、抵抗器（R2）を出力可変となる可変電圧に接続することにより、可変電圧の電圧を切換えることによりＰＷＭ信号の振幅を可変とすることが可能となり、抵抗器（R2）の接続を切換える切換え手段を用いることなく請求項４と同様の効果を得ることが可能となる。
【００１７】
以上のように、本発明によればパルス信号生成手段をスペックアップすることなく、簡易かつ安価な構成で可変電圧生成回路の出力分解能を微細化することが可能となる。
【図面の簡単な説明】
【００１８】
【図１】本発明の実施例１を実施したフィルタ回路を用いた可変電圧生成回路を示した回路図
【図２】本発明の実施例２を実施したフィルタ回路を用いた可変電圧生成回路を示した回路図
【図３】本発明の実施例３を実施したフィルタ回路を用いた可変電圧生成回路を示した回路図
【図４】本発明の実施例４を実施したフィルタ回路を用いた可変電圧生成回路を示した回路図
【図５】本発明を実施したフィルタ回路を用いた可変電圧生成回路を画像形成装置に使用する場合の回路の一例を示した回路図
【図６】従来のフィルタ回路を用いた可変電圧生成回路を示した回路図
【発明を実施するための形態】
【００１９】
［実施例１］
図１は本実施例を実施したフィルタ回路を用いた可変電圧生成回路を示した回路図である。
【００２０】
図１において11はパルス幅可変のＰＷＭ信号を出力するパルス信号生成手段、12は抵抗器12-1およびコンデンサ12-2より構成されるフィルタ回路、13は抵抗器（R1）、14は抵抗器（R2）、15は抵抗器（R2）を接地状態または、開放状態のいずれかの状態に切換える接続切換え手段である。
【００２１】
パルス信号生成手段11から出力されるＰＷＭ信号はパルス幅（ON Duty）が0%から100%まで256段階で変化し、振幅レベルが0VからV1Vの幅で変化するものとする。
【００２２】
接続切換え手段15により抵抗器14（R2）が開放状態となる場合、パルス信号生成手段11より出力されたＰＷＭ信号は、抵抗器13(R1)を通過してフィルタ回路へ入力される。ＰＷＭ信号が入力されたフィルタ回路12の出力Voは0VからV1Vとの間でＰＷＭ信号のパルス幅に比例した電圧となる。
【００２３】
このときＰＷＭ信号のパルス幅（ON Duty）が0%から100%まで256段階で変化するので、フィルタ回路12の出力Voは0VからV1Vとの間で256段階に変化することになる。
【００２４】
一方、接続切換え手段15により抵抗器14（R2）が接地状態となる場合、パルス信号生成手段11より出力されたＰＷＭ信号は、振幅レベルが0VからV1を抵抗器13（R1）と抵抗器14(R2)とで分圧した電圧（V2）で変化する信号となり、フィルタ回路12へ入力される。ＰＷＭ信号が入力されたフィルタ回路12の出力Voは0VからV2Vとの間でＰＷＭ信号のパルス幅に比例した電圧となる。
【００２５】
このときＰＷＭ信号のパルス幅（ON Duty）が0%から100%まで256段階で変化するので、フィルタ回路12の出力Voは0VからV2Vとの間で256段階に変化することになる。
【００２６】
ここで抵抗器13(R1)と抵抗器14(R2)の抵抗値が同じ場合にはV2はV1/2となり、0VからV1/2の間で256段階に変化、V1/2VからV1Vの間では128段階に変化するので、0VからV1Vの間では383段階に変化することになる。
【００２７】
この結果、可変電圧生成回路から出力される電圧の可変分解能を上げることが可能となる。
【００２８】
なお、切換え手段としてはスイッチ、トランジスタを用いれば必要に応じて接続状態を切換えることが可能である。
【００２９】
［実施例２］
図２は本実施例を実施したフィルタ回路を用いた可変電圧生成回路を示した回路図である。
【００３０】
図２において21はパルス幅可変のＰＷＭ信号を出力するパルス信号生成手段、22は抵抗器22-1およびコンデンサ22-2より構成されるフィルタ回路、23は抵抗器（R1）、24は抵抗器（R2）、25は抵抗器（R2）を所定電圧V1と接続される状態、または開放状態のいずれかの状態に切換える接続切換え手段である。
【００３１】
パルス信号生成手段21から出力されるＰＷＭ信号はパルス幅（ON Duty）が0%から100%まで256段階で変化し、振幅レベルが0VからV1Vの幅で変化するものとする。
【００３２】
接続切換え手段25により抵抗器24（R2）が開放状態となる場合、パルス信号生成手段21より出力されたＰＷＭ信号は、抵抗器23(R1)を通過してフィルタ回路へ入力される。ＰＷＭ信号が入力されたフィルタ回路の出力は0VからV1Vとの間でＰＷＭ信号のパルス幅に比例した電圧となる。
【００３３】
このときＰＷＭ信号のパルス幅（ON Duty）が0%から100%まで256段階で変化するので、フィルタ回路の出力は0VからV1Vとの間で256段階に変化することになる。
【００３４】
一方、接続切換え手段25により抵抗器24（R2）が所定電圧V1と接続される状態となる場合、パルス信号生成手段21より出力されたＰＷＭ信号は、振幅レベルがV1を抵抗器23（R1）と抵抗器24(R2)とで分圧した電圧（V2）からV1Vとの間で変化する信号となり、フィルタ回路へ入力される。ＰＷＭ信号が入力されたフィルタ回路の出力はV2VからV1Vとの間でＰＷＭ信号のパルス幅に比例した電圧となる。
【００３５】
このときＰＷＭ信号のパルス幅（ON Duty）が0%から100%まで256段階で変化するので、フィルタ回路の出力はV2VからV1Vとの間で256段階に変化することになる。
【００３６】
ここで抵抗器23(R1)と抵抗器24(R2)の抵抗値が同じ場合にはV2はV1/2となり、V1/2VからV1Vの間で256段階に変化、0VからV1/2Vの間では128段階に変化するので、0VからV1Vの間では383段階に変化することになる。
【００３７】
この結果、可変電圧生成回路から出力される電圧の可変分解能を上げることが可能となる。
【００３８】
なお、切換え手段としてはスイッチ、トランジスタを用いれば必要に応じて接続状態を切換えることが可能である。
【００３９】
また本実施例では便宜上、抵抗器24を接続する電圧とパルス信号生成手段より出力されるパルス信号の電圧を同電圧のV1として説明しているが、同電圧に制限することなく必要に応じて異なる電圧を用いても良い。
【００４０】
［実施例３］
図３は本実施例を実施したフィルタ回路を用いた可変電圧生成回路を示した回路図である。
【００４１】
図３において31はパルス幅可変のＰＷＭ信号を出力するパルス信号生成手段、32は抵抗器32-1およびコンデンサ32-2より構成されるフィルタ回路、33は抵抗器（R1）、34は抵抗器（R2）、35は抵抗器（R2）を接地状態、または所定電圧V1と接続される状態、または開放状態のいずれかの状態に切換える接続切換え手段である。
【００４２】
パルス信号生成手段31から出力されるＰＷＭ信号はパルス幅（ON Duty）が0%から100%まで256段階で変化し、振幅レベルが0VからV1Vの幅で変化するものとする。
【００４３】
接続切換え手段35により抵抗器34（R2）が接地状態となる場合、パルス信号生成手段31より出力されたＰＷＭ信号は、振幅レベルが0VからV1を抵抗器33（R1）と抵抗器34(R2)とで分圧した電圧（V2）で変化する信号となり、フィルタ回路32へ入力される。ＰＷＭ信号が入力されたフィルタ回路32の出力は0VからV2Vとの間でＰＷＭ信号のパルス幅に比例した電圧となる。
【００４４】
このときＰＷＭ信号のパルス幅（ON Duty）が0%から100%まで256段階で変化するので、フィルタ回路32の出力は0VからV2Vとの間で256段階に変化することになる。
【００４５】
一方、接続切換え手段35により抵抗器34（R2）が所定電圧V1と接続される状態となる場合、パルス信号生成手段31より出力されたＰＷＭ信号は、振幅レベルがV1を抵抗器33（R1）と抵抗器34(R2)とで分圧した電圧（V2）からV1Vとの間で変化する信号となり、フィルタ回路へ入力される。ＰＷＭ信号が入力されたフィルタ回路の出力はV2VからV1Vとの間でＰＷＭ信号のパルス幅に比例した電圧となる。
【００４６】
このときＰＷＭ信号のパルス幅（ON Duty）が0%から100%まで256段階で変化するので、フィルタ回路の出力はV2VからV1Vとの間で256段階に変化することになる。
【００４７】
この結果、V2VからV1Vの間で256段階に変化、0VからV2Vの間でも256段階に変化するので、0VからV1Vの間では512段階に変化することになり、可変電圧生成回路から出力される電圧は0からV1の間で可変分解能を上げることが可能となる。
【００４８】
なお、切換え手段としてはスイッチ、トランジスタを用いれば必要に応じて接続状態を切換えることが可能である。
【００４９】
また本実施例では便宜上、抵抗器34を接続する電圧とパルス信号生成手段より出力されるパルス信号の電圧を同電圧のV1として説明しているが、同電圧に制限することなく必要に応じて異なる電圧を用いても良い。
【００５０】
［実施例４］
図４は本実施例を実施したフィルタ回路を用いた可変電圧生成回路を示した回路図である。
【００５１】
図４において41はパルス幅可変のＰＷＭ信号を出力するパルス信号生成手段、42は抵抗器42-1およびコンデンサ42-2より構成されるフィルタ回路、43は抵抗器（R1）、44は抵抗器（R2）、45は出力電圧が0VからV1Vまで出力可変となる可変電圧源である。
【００５２】
パルス信号生成手段41から出力されるＰＷＭ信号はパルス幅（ON Duty）が0%から100%まで256段階で変化し、振幅レベルが0VからV1Vの幅で変化するものとする。
【００５３】
可変電源45からの出力電圧が出力されずに抵抗器44（R2）が開放状態となる場合、パルス信号生成手段41より出力されたＰＷＭ信号は、抵抗器43(R1)を通過してフィルタ回路へ入力される。ＰＷＭ信号が入力されたフィルタ回路42の出力Voは0VからV1Vとの間でＰＷＭ信号のパルス幅に比例した電圧となる。
【００５４】
このときＰＷＭ信号のパルス幅（ON Duty）が0%から100%まで256段階で変化するので、フィルタ回路32の出力Voは0VからV1Vとの間で256段階に変化することになる。
【００５５】
一方、可変電源45からの出力電圧が0Vとなる場合、パルス信号生成手段41より出力されたＰＷＭ信号は、振幅レベルが0VからV1を抵抗器43（R1）と抵抗器44(R2)とで分圧した電圧（V2）で変化する信号となり、フィルタ回路42へ入力される。ＰＷＭ信号が入力されたフィルタ回路42の出力Voは0VからV2Vとの間でＰＷＭ信号のパルス幅に比例した電圧となる。
【００５６】
このときＰＷＭ信号のパルス幅（ON Duty）が0%から100%まで256段階で変化するので、フィルタ回路32の出力は0VからV2Vとの間で256段階に変化することになる。
【００５７】
一方、可変電源45からの出力電圧がV1Vとなる場合、パルス信号生成手段41より出力されたＰＷＭ信号は、振幅レベルがV1を抵抗器43（R1）と抵抗器44(R2)とで分圧した電圧（V2）からV1Vとの間で変化する信号となり、フィルタ回路42へ入力される。ＰＷＭ信号が入力されたフィルタ回路42の出力VoはV2VからV1Vとの間でＰＷＭ信号のパルス幅に比例した電圧となる。
【００５８】
このときＰＷＭ信号のパルス幅（ON Duty）が0%から100%まで256段階で変化するので、フィルタ回路42の出力VoはV2VからV1Vとの間で256段階に変化することになる。
【００５９】
この結果、V2VからV1Vの間で256段階に変化、0VからV2Vの間でも256段階に変化するので、0VからV1Vの間では512段階に変化することになり、可変電圧生成回路から出力される電圧は0VからV1の間で可変分解能を上げることが可能となる。
【００６０】
可変電圧生成回路を用いる装置が出力可変となる電圧源を備えている場合には、本実施例を実施することにより抵抗器の接続状態を切換える接続切換え手段を追加することなく実施例1から実施例３と同様の効果を得ることが可能である。
【００６１】
なお、本実施例では便宜上、抵抗器44を接続する可変電圧の電圧とパルス信号生成手段より出力されるパルス信号の電圧を同電圧のV1として説明しているが、同電圧に制限することなく必要に応じて異なる電圧を用いても良い。
【００６２】
［実施例５］
図５は本実施例を実施したフィルタ回路を用いた可変電圧生成回路を画像形成装置に使用する場合の回路の一例である。
【００６３】
図５において51は画像形成装置全体の制御を行うＣＰＵ、52は抵抗器52-1およびコンデンサ52-2より構成されるフィルタ回路、53は抵抗器（R1）、54は抵抗器（R2）である。
【００６４】
ＣＰＵ51の出力ピン51-1からはパルス幅（ON Duty）が0%から100%まで256段階で変化し、振幅レベルが0VからV1Vの幅で変化するパルス信号を出力、出力ポート51-2は開放状態、0V出力、V1V出力のいずれかの状態を設定できるものとする。
【００６５】
ＣＰＵ51の出力ポート51-2が0V出力の場合、ＣＰＵ51の出力ポート51-1より出力されたＰＷＭ信号は、振幅レベルが0VからV1を抵抗器53（R1）と抵抗器54(R2)とで分圧した電圧（V2）で変化する信号となり、フィルタ回路52へ入力される。ＰＷＭ信号が入力されたフィルタ回路52の出力Voは0VからV2Vとの間でＰＷＭ信号のパルス幅に比例した電圧となる。このときＰＷＭ信号のパルス幅（ON Duty）が0%から100%まで256段階で変化するので、フィルタ回路52の出力Voは0VからV2Vとの間で256段階に変化することになる。
【００６６】
一方、ＣＰＵ51の出力ポート51-2がV1V出力の場合、ＣＰＵ51の出力ポート51-1より出力されたＰＷＭ信号は、振幅レベルがV1を抵抗器53（R1）と抵抗器54(R2)とで分圧した電圧（V2）からV1Vとの間で変化する信号となり、フィルタ回路52へ入力される。ＰＷＭ信号が入力されたフィルタ回路52の出力VoはV2VからV1Vとの間でＰＷＭ信号のパルス幅に比例した電圧となる。このときＰＷＭ信号のパルス幅（ON Duty）が0%から100%まで256段階で変化するので、フィルタ回路52の出力VoはV2VからV1Vとの間で256段階に変化することになる。
【００６７】
この結果、可変電圧生成回路から出力される電圧Voは0からV1の間で可変分解能を上げることが可能となる。また、ＣＰＵ51の各出力ポートの出力V1VはＣＰＵ51に供給される電源（Vcc）に依存し、各ピンでの出力差は殆ど無いので、抵抗器53および抵抗器54に精度の良い抵抗を用いれば、従来とほぼ同等の精度で可変分解能を上げることが可能となる。
【符号の説明】
【００６８】
11‥‥パルス信号生成手段
12‥‥フィルタ回路
12-1‥‥抵抗器
12-2‥‥コンデンサ
13‥‥抵抗器（R1）
14‥‥抵抗器（R2）
15‥‥接続切換え手段
21‥‥パルス信号生成手段
22‥‥フィルタ回路
22-1‥‥抵抗器
22-2‥‥コンデンサ
23‥‥抵抗器（R1）
24‥‥抵抗器（R2）
25‥‥接続切換え手段
31‥‥パルス信号生成手段
32‥‥フィルタ回路
32-1‥‥抵抗器
32-2‥‥コンデンサ
33‥‥抵抗器（R1）
34‥‥抵抗器（R2）
35‥‥接続切換え手段
41‥‥パルス信号生成手段
42‥‥フィルタ回路
42-1‥‥抵抗器
42-2‥‥コンデンサ
43‥‥抵抗器（R1）
44‥‥抵抗器（R2）
45‥‥接続切換え手段
51‥‥ＣＰＵ
51-1‥‥ＣＰＵ  出力ポート
51-2‥‥ＣＰＵ  出力ポート
52‥‥フィルタ回路
52-1‥‥抵抗器
52-2‥‥コンデンサ
53‥‥抵抗器（R1）
54‥‥抵抗器（R2）
61‥‥パルス信号生成手段
62‥‥フィルタ回路
62-1‥‥抵抗器
62-2‥‥コンデンサ
【図１】
2012142887.tif 000003
【図２】
2012142887.tif 000004
【図３】
2012142887.tif 000005
【図４】
2012142887.tif 000006
【図５】
2012142887.tif 000007
【図６】
2012142887.tif 000008